(57)【特許請求の範囲】
【請求項１】
検体が注入される複数の容器を周方向に配置できるように形成された実ターンテーブルと、
前記実ターンテーブルに配置された前記容器に注入された前記検体を測定する測定部と、
前記検体の測定結果を保持する複数の検体情報記憶領域を有する複数の仮想ターンテーブルと、
前記実ターンテーブルに配置された前記容器の位置と複数の前記仮想ターンテーブルとの対応関係を表すターンテーブル対応関係テーブルと、
前記測定部により前記容器に注入された前記検体の測定を複数回行い、前記検体の測定結果を、前記実ターンテーブルに配置された前記容器の位置に対応する前記仮想ターンテーブル上の測定回数に応じた位置の前記検体情報記憶領域に記憶する制御部と、を備える
自動分析装置。
【請求項２】
複数の前記仮想ターンテーブルの前記検体情報記憶領域は、前記実ターンテーブルに配置された前記容器の位置を表す番号、及び前記容器に注入された前記検体の測定回数を用いて識別される
請求項１に記載の自動分析装置。
【請求項３】
前記仮想ターンテーブルを、前記実ターンテーブルに配置された前記容器の位置を表す番号、及び前記容器に注入された前記検体の測定回数とともに、前記仮想ターンテーブルを環状に表示する表示部を、更に備える
請求項１又は２に記載の自動分析装置。
【請求項４】
検体が注入される複数の容器を周方向に配置できるように形成された実ターンテーブルと、前記実ターンテーブルに配置された前記容器に注入された前記検体を測定する測定部と、前記検体の測定結果を保持する複数の検体情報記憶領域を有する複数の仮想ターンテーブルと、前記実ターンテーブルに配置された前記容器の位置と複数の前記仮想ターンテーブルとの対応関係を表すターンテーブル対応関係テーブルと、を備える自動分析装置による多重測定方法であって、
前記測定部により、前記容器に注入された前記検体の測定を複数回行うステップと、
前記自動分析装置が備える制御部により、前記ターンテーブル対応関係テーブルに基づいて、前記検体の測定結果を、前記実ターンテーブルに配置された前記容器の位置に対応する前記仮想ターンテーブル上の測定回数に応じた位置の前記検体情報記憶領域に記憶するステップと、を備える
多重測定方法。
【発明の詳細な説明】
【技術分野】
【０００１】
本発明は、検体に含まれる成分を分析する自動分析装置及び多重測定方法に関する。
【背景技術】
【０００２】
血液や尿等の検体（以下、「一般検体」ともいう。）に含まれる各種成分を分析する生化学分析装置が知られている。自動分析装置の一つである生化学分析装置は、分析装置本体である測定機構と、測定機構を制御する計算機とを備える。測定機構は、検体が注入されるキュベットと呼ばれる検体容器を保持するサンプルターンテーブル、検体と試薬を反応させ測定を行う反応ターンテーブル、及び複数の試薬を保持する試薬ターンテーブルを有する。計算機から測定機構へ測定指示を与えると、測定機構は、サンプルターンテーブルの検体容器から指定した量の検体を吸い上げ、反応ターンテーブルの反応容器に注入する。そして、測定機構は、試薬ターンテーブルに保持された試薬を反応容器に注入して検体と試薬を反応させ、検体の測定を行う。１つの検体に対して、通常、指定された複数の項目について測定が行われるので、１つの検体に対して複数回の測定が行われる。
【０００３】
図１は、サンプルターンテーブルの一例を示す概略図である。
図１に示すサンプルターンテーブル１００では、検体を保持する検体容器が同心円の円周上に二重に配置されている。サンプルターンテーブル１００は、外側の円周上の検体容器に一般検体１１０を保持し、その内側の円周上の検体容器には、キャリブレーション／コントロール検体１２０を保持することが可能である。ここでは、キャリブレーション検体とコントロール検体をまとめて「キャリブレーション／コントロール検体」と記している。
【０００４】
通常、サンプルターンテーブル１００に保持できる検体、即ち検体容器の数には制限がある。そのため、サンプルターンテーブル１００に配置できる検体容器の制限数を超えて一般検体の分析を行う場合は、その分析結果を保持するため、図２のように、測定機構と計算機は、一般検体のサンプルターンテーブル１００をＮ個の仮想ターンテーブル２１０−１〜２１０−Ｎとして保持する。サンプルターンテーブル１００上の一般検体を測定する場合には、測定機構と計算機は、Ｎ個の仮想ターンテーブル２１０−１〜２１０−Ｎからなる仮想ターンテーブル群２００を使用して一般検体（測定指示／測定結果）を管理する。Ｎは任意の自然数である。
【０００５】
一般検体の測定結果は、図３に示すような、計算機が保持する仮想ターンテーブル３１０−１〜３１０−Ｎごとに格納される。仮想ターンテーブル３１０−１〜３１０−Ｎは、一般検体が一列に配列された状態として表現され、その各要素即ち検体情報３２０−１〜３２０−Ｎを保持している。サンプルターンテーブル１００に配置できる検体容器の個数が８４個の場合、一つの仮想ターンテーブルに保持できる検体情報の数は最大で８４個である。仮想ターンテーブルの個数と検体情報の個数は一致しなくてもよい。
【０００６】
検体情報３２０−１〜３２０−Ｎの各々は、サンプルターンテーブル１００に配置された一般検体１１０のそれぞれと対応している。図４に示すように、ある仮想ターンテーブル上の一般検体の検体情報３２０−ｋには、検体ＩＤ（検体識別情報）、測定項目、及び測定結果が含まれる。ただし、計算機が実行するプログラムは、各測定項目が必ず異なるように設計されており、実際のサンプルターンテーブル１００と各仮想ターンテーブル２１０−１〜２１０−Ｎ（仮想ターンテーブル３１０−１〜３１０−Ｎ）が一対一に対応している。
【０００７】
また、キャリブレーション／コントロール検体１２０の測定結果は、図５に示すような、計算機が保持する仮想ターンテーブル４１０に格納される。キャリブレーション／コントロールの場合は、仮想ターンテーブルは複数存在せず、実際のサンプルターンテーブル１００と仮想ターンテーブル４１０が一対一に対応している。仮想ターンテーブル４１０に保持された検体情報４２０−１〜４２０−Ｎの各々は、サンプルターンテーブル１００に配置された各キャリブレーション／コントロール検体１２０と対応している。ただし、図５に示すように、キャリブレーション／コントロールの仮想ターンテーブル４１０では、一つの検体情報に関して、例えば５段の多層構造とされた検体情報４２１〜４２５が用意されている。このようにした場合、同一のキャリブレーション／コントロール検体１２０について、同一条件で複数回（５回まで）の測定を行い、その測定結果を深さ方向（貫層方向）に保存することが可能である。
【０００８】
図６に示すように、一般検体１１０の測定結果３３０は、検体情報単位で出力される。図６の例では、検体ＩＤが“一般検体Ａ”である一般検体に対して、（TTNo:1 Pos:22）の測定条件で測定が実施され、項目Ａ及び項目Ｂについての濃度や吸光度等の結果が出力されている。（TTNo:1 Pos:22）は、測定対象の一般検体が、一回転目のサンプルターンテーブル１００における２２番の位置に配置されていることを表している。
【０００９】
キャリブレーション／コントロール検体１２０については、図７に示すように、多層構造の検体情報を含めて測定結果４３０が出力される。図７の例では、検体ＩＤが“キャリブレーションＡ”であるキャリブレーション検体に対して、（TTNo:0 Pos:2）の測定条件で測定が実施され、項目Ａ及び項目Ｂのそれぞれについて５回の測定結果が出力されている。（TTNo:0 Pos:2）は、測定対象のキャリブレーション検体が、一回転目のサンプルターンテーブル１００における２番の位置に配置されていることを表している。ここでは、一般検体１１０とキャリブレーション／コントロール検体１２０の検体ポジションの表現が重複することを避けるためにTTNo:0とされているが、これらの検体が区別できればこの表現は任意である。
【００１０】
特許文献１には、同一反応容器内の検体について複数回測定を行い、測定精度を確かめる技術が開示されている。即ち、特許文献１には、円形のディスクに配置した複数個の反応容器中に検体と試薬を分注して反応液を形成し、ディスクが回転して反応容器が光度計の光路を通過するのに伴って反応液の吸光度を測定する自動化学分析装置において、同一反応容器に関し複数回計測した吸光度の前後の差を監視する技術が開示されている。
【先行技術文献】
【特許文献】
【００１１】
【特許文献１】特開平０９−２２９９３９号公報
【発明の概要】
【発明が解決しようとする課題】
【００１２】
近年、生化学分析装置等の自動分析装置の精度を確かめるため、精度確認用検体(以下、「多重測定検体」という)の測定回数が増加している。精度確認用検体としては、例えば医師会から提供されるサーベイ検体などがある。しかしながら、現状の自動分析装置に実装されたプログラム（ソフトウェア）では、同一検体について同一条件の複数回測定はできない。例えばコントロール検体を保持する検体容器を用いて、図５に示すように５回までなら測定を行うことが可能であるが、６回以上の測定には対応できない。仮に大型の検体容器を準備して複数回測定することは、ハードウェア上は可能であるが、ソフトウェアが対応できていない。現状のソフトウェアのプログラムは、測定回数及び測定結果を管理する仕組みが５回までを想定して設計されている。
【００１３】
このような問題を解決するために、多重測定検体のために新規のプログラムを追加して対応することが考えられる。例えば、図３の一般検体の仮想ターンテーブル３１０−１〜３１０−Ｎの検体情報３２０−１〜３２０−Ｎに、図５のような多層構造の検体情報を追加することは、ソフトウェアの観点から可能である。また、多重測定検体について、図５のキャリブレーション／コントロール検体の仮想ターンテーブル４１０の多層構造の検体情報４２１〜４２５を拡張して６回以上の測定回数に対応することは、ソフトウェア上可能である。しかし、これらの対処方法は、データ構造を拡張することとなり、測定機構及び計算機の全体に影響を及ぼし、データ処理に誤りが生じやすくなる。
【００１４】
また、処理するデータ量が増大するため動作確認工数も増加し、開発コストも増大する。データ処理の誤りを最小限にして、開発コストを抑えながら多重測定検体を測定できるようにする必要がある。
【００１５】
さらに、多層構造の検体情報に対応するために、各検体の測定状態（ステータス）の表示方法も新規に開発する必要がある。ソフトウェアを初めから作り直した場合であっても、自動分析装置に多重測定検体用のプログラム及びデータ構造を持たせれば、同じ問題が発生する。
【００１６】
特許文献１に記載の技術では、一つの検体容器に注入された検体について同一条件で多数回の測定を実現することはできなかった。
【００１７】
本発明は、上記の状況を考慮してなされたものであり、一つの検体容器に注入された検体について同一条件で多数回の測定を実現できるようにするものである。
【課題を解決するための手段】
【００１８】
本発明の一態様の自動分析装置は、実ターンテーブルと、測定部と、複数の仮想ターンテーブルと、ターンテーブル対応関係テーブルと、制御部とを備える。
実ターンテーブルは、検体が注入される複数の容器を周方向に配置できるように形成されている。測定部は、該実ターンテーブルに配置された容器に注入された検体を測定する。複数の仮想ターンテーブルは、検体の測定結果を保持する複数の検体情報記憶領域を有する。ターンテーブル対応関係テーブルは、実ターンテーブルに配置された容器の位置と複数の仮想ターンテーブルとの対応関係が格納される。制御部は、測定部により容器に注入された検体の測定を複数回行い、ターンテーブル対応関係テーブルに基づいて、検体の測定結果を、実ターンテーブルに配置された当該容器の位置に対応する仮想ターンテーブル上の測定回数に応じた位置の検体情報記憶領域に記憶する。
ここでは、実ターンテーブルに配置された容器の位置を表す番号と仮想ターンテーブルが一対一に対応し、仮想ターンテーブル上の検体情報記憶領域の位置を表す番号が当該検体の測定回数に相当する。
【００１９】
本発明の一態様の多重測定方法は、検体が注入される複数の容器を周方向に配置できるように形成された実ターンテーブルと、該実ターンテーブルに配置された容器に注入された検体を測定する測定部と、該検体の測定結果を保持する複数の検体情報記憶領域を有する複数の仮想ターンテーブルと、該実ターンテーブルに配置された容器の位置と複数の該仮想ターンテーブルとの対応関係を表すターンテーブル対応関係テーブルと、を備える自動分析装置による多重測定方法であって、以下の処理ステップを有する。
この多重測定方法は、該測定部により、容器に注入された検体の測定を複数回行うステップと、該自動分析装置が備える制御部により、該ターンテーブル対応関係テーブルに基づいて、検体の測定結果を、該実ターンテーブルに配置された容器の位置に対応する該仮想ターンテーブル上の測定回数に応じた位置の該検体情報記憶領域に記憶するステップと、を有する。
【発明の効果】
【００２０】
本発明の少なくとも一態様によれば、実ターンテーブルに配置された容器の位置と複数の仮想ターンテーブルの各々を一対一に対応させることで、データ構造を変えることなく、一つの検体に対して同一条件で多数回の測定（多重測定）が可能となる。また、データ構造を変える必要がないため、自動分析装置のソフトウェアを大型化、複雑化することなく多重測定が実現できる。
上記した以外の課題、構成及び効果は、以下の実施形態の説明により明らかにされる。
【図面の簡単な説明】
【００２１】
【図１】サンプルターンテーブルの一例を示す概略図である。
【図２】一般検体の仮想ターンテーブルの概念を示す図である。
【図３】メモリに格納された一般検体の仮想ターンテーブルの一例を示す図である。
【図４】仮想ターンテーブルが保持する一般検体の検体情報の一例を示す図である。
【図５】メモリに格納されたキャリブレーション／コントロール仮想ターンテーブルの一例を示す図である。
【図６】一般検体の測定結果の出力例を示す図である。
【図７】キャリブレーション／コントロール検体の測定結果の出力例を示す図である。
【図８】本発明の一実施形態に係る自動分析装置を模式的に示す説明図である。
【図９】本発明の一実施形態に係る計算機の内部構成例を示すブロック図である。
【図１０】多重測定検体を保持したサンプルターンテーブルの一例を示す概略図である。
【図１１】ターンテーブル対応関係テーブルの一例を示す図である。
【図１２】測定回数テーブルの一例を示す図である。
【図１３】一般検体の検査結果モニタの表示例を示す図である。
【図１４】キャリブレーション／コントロール検体の検査結果モニタの表示例を示す図である。
【図１５】多重測定検体の検査結果モニタの表示例を示す図である。
【図１６】測定対象の多重測定検体を保持したサンプルターンテーブルの一例を示す概略図である。
【図１７】多重測定検体の測定結果の出力例を示す図である。
【発明を実施するための形態】
【００２２】
以下、本発明を実施するための形態の例について、添付図面を参照しながら説明する。なお、各図において実質的に同一の機能又は構成を有する構成要素については、同一の符号を付して重複する説明を省略する。
【００２３】
＜１．一実施形態＞
［自動分析装置の構成例］
図８に示す装置は、本発明の自動分析装置の一例として適用する生化学分析装置１である。生化学分析装置１は、血液や尿等の生体試料に含まれる特定の成分の量を自動的に測定する装置である。
【００２４】
図８に示すように、生化学分析装置１は、測定機構１Ａと、計算機３０とを備える。測定機構１Ａは、測定部の一例であり、サンプルターンテーブル２と、希釈ターンテーブル３と、第１試薬ターンテーブル４と、第２試薬ターンテーブル５と、反応ターンテーブル６と、を備えている。また、測定機構１Ａは、サンプル希釈ピペット７と、サンプリングピペット８と、希釈撹拌装置９と、希釈洗浄装置１１と、第１試薬ピペット１２と、第２試薬ピペット１３と、第１反応撹拌装置１４と、第２反応撹拌装置１５と、多波長光度計１６と、恒温槽１７と、反応容器洗浄装置１８とを備えている。
【００２５】
サンプルターンテーブル２は、実ターンテーブルの一例であり、図８のサンプルターンテーブル１００に対応する。サンプルターンテーブル２は、軸方向の一端が開口した略円筒状をなす容器状に形成されている。このサンプルターンテーブル２には、複数の検体容器２１と、複数の希釈液容器２２が収容されている。サンプルターンテーブル２の内側には、キャリブレータ２ａ（標準検体）やコントローラ２ｂ（管理検体）が設置される。キャリブレータ２ａは、図１のキャリブレーション検体に相当し、コントローラ２ｂは、図１のコントロール検体に相当する。また、サンプルターンテーブル２の内側の部分（内側の２列）は、主にキャリブレータ２ａやコントローラ２ｂを保冷する目的で保冷されている。検体容器２１には、血液や尿等からなる検体（サンプル）が収容される。希釈液容器２２には、通常の希釈液である生理食塩水以外の特別な希釈液が収容される。因みに、サンプルターンテーブル２を駆動するときは、内側と外側を同時に駆動することになる。
【００２６】
複数の検体容器２１は、サンプルターンテーブル２の周方向に所定の間隔を開けて並べて配置されている。また、サンプルターンテーブル２の周方向に並べられた検体容器２１の列は、サンプルターンテーブル２の半径方向に所定の間隔を開けて２列セットされている。
【００２７】
複数の希釈液容器２２は、複数の検体容器２１の列よりもサンプルターンテーブル２の半径方向の内側に配置されている。複数の希釈液容器２２は、複数の検体容器２１と同様に、サンプルターンテーブル２の周方向に所定の間隔を開けて並べて配置されている。そして、サンプルターンテーブル２の周方向に並べられた希釈液容器２２の列は、サンプルターンテーブル２の半径方向に所定の間隔を開けて２列セットされている。
【００２８】
なお、複数の検体容器２１及び複数の希釈液容器２２の配列は、２列に限定されるものではなく、１列でもよく、あるいはサンプルターンテーブル２の半径方向に３列以上配置してもよい。
【００２９】
サンプルターンテーブル２は、不図示の駆動機構によって周方向に沿って回転可能に支持されている。そして、サンプルターンテーブル２は、不図示の駆動機構により、周方向に所定の角度範囲ごとに、所定の速度で回転する。また、サンプルターンテーブル２の周囲には、希釈ターンテーブル３が配置されている。
【００３０】
希釈ターンテーブル３、第１試薬ターンテーブル４、第２試薬ターンテーブル５及び反応ターンテーブル６は、サンプルターンテーブル２と同様に、軸方向の一端が開口した略円筒状をなす容器状に形成されている。希釈ターンテーブル３及び反応ターンテーブル６は、不図示の駆動機構により、その周方向に所定の角度範囲ずつ、所定の速度で回転する。なお、反応ターンテーブル６は、例えば一回の移動で半周以上回転するように設定されている。
【００３１】
希釈ターンテーブル３には、複数の希釈容器２３が希釈ターンテーブル３の周方向に並べて収容されている。希釈容器２３には、サンプルターンテーブル２に配置された検体容器２１から吸引され、希釈された検体（以下、「希釈検体」という）が収容される。
【００３２】
第１試薬ターンテーブル４には、複数の第１試薬容器２４が第１試薬ターンテーブル４の周方向に並べて収容されている。また、第２試薬ターンテーブル５には、複数の第２試薬容器２５が第２試薬ターンテーブル５の周方向に並べて収容されている。そして、第１試薬容器２４には、濃縮された第１試薬が収容され、第２試薬容器２５には、第２試薬が収容される。
【００３３】
さらに、第１試薬ターンテーブル４、第１試薬容器２４、第２試薬ターンテーブル５及び第２試薬容器２５は、不図示の保冷機構によって所定の温度に保たれている。そのため、第１試薬容器２４に収容された第１試薬と、第２試薬容器２５に収容された第２試薬は、所定の温度で保冷される。
【００３４】
反応ターンテーブル６は、希釈ターンテーブル３と、第１試薬ターンテーブル４及び第２試薬ターンテーブル５の間に配置されている。反応ターンテーブル６には、複数の反応容器２６が反応ターンテーブル６の周方向に並べて収容されている。反応容器２６には、希釈ターンテーブル３の希釈容器２３からサンプリングした希釈検体と、第１試薬ターンテーブル４の第１試薬容器２４からサンプリングした第１試薬と、第２試薬ターンテーブル５の第２試薬容器２５からサンプリングした第２試薬が注入される。そして、この反応容器２６内において、希釈検体と、第１試薬及び第２試薬が撹拌され、反応が行われる。
【００３５】
サンプル希釈ピペット７は、サンプルターンテーブル２と希釈ターンテーブル３の周囲に配置される。サンプル希釈ピペット７は、不図示の希釈ピペット駆動機構により、サンプルターンテーブル２及び希釈ターンテーブル３の軸方向（例えば、上下方向）に移動可能に支持されている。また、サンプル希釈ピペット７は、希釈ピペット駆動機構により、サンプルターンテーブル２及び希釈ターンテーブル３の開口と略平行をなす水平方向に沿って回動可能に支持されている。そして、サンプル希釈ピペット７は、水平方向に沿って回動することで、サンプルターンテーブル２と希釈ターンテーブル３の間を往復運動する。なお、サンプル希釈ピペット７がサンプルターンテーブル２と希釈ターンテーブル３の間を移動する際、サンプル希釈ピペット７は、不図示の洗浄装置を通過する。
【００３６】
ここで、サンプル希釈ピペット７の動作について説明する。
サンプル希釈ピペット７がサンプルターンテーブル２における開口の上方の所定位置に移動した際、サンプル希釈ピペット７は、サンプルターンテーブル２の軸方向に沿って下降し、その先端に設けたピペットを検体容器２１内に挿入する。このとき、サンプル希釈ピペット７は、不図示のサンプル用ポンプが作動して検体容器２１内に収容された検体を所定量吸引する。次に、サンプル希釈ピペット７は、サンプルターンテーブル２の軸方向に沿って上昇してピペットを検体容器２１内から抜き出す。そして、サンプル希釈ピペット７は、水平方向に沿って回動し、希釈ターンテーブル３における開口の上方の所定位置に移動する。
【００３７】
次に、サンプル希釈ピペット７は、希釈ターンテーブル３の軸方向に沿って下降して、ピペットを所定の希釈容器２３内に挿入する。そして、サンプル希釈ピペット７は、吸引した検体と、サンプル希釈ピペット７自体から供給される所定量の希釈液（例えば、生理食塩水）を希釈容器２３内に吐出する。その結果、希釈容器２３内で、検体が所定倍数の濃度に希釈される。その後、サンプル希釈ピペット７は、洗浄装置によって洗浄される。
【００３８】
サンプリングピペット８は、希釈ターンテーブル３と反応ターンテーブル６の間に配置されている。サンプリングピペット８は、不図示のサンプリングピペット駆動機構により、サンプル希釈ピペット７と同様に、希釈ターンテーブル３の軸方向（上下方向）と水平方向に移動及び回動可能に支持されている。そして、サンプリングピペット８は、希釈ターンテーブル３と反応ターンテーブル６の間を往復運動する。
【００３９】
このサンプリングピペット８は、希釈ターンテーブル３の希釈容器２３内にピペットを挿入して、所定量の希釈検体を吸引する。そして、サンプリングピペット８は、吸引した希釈検体を反応ターンテーブル６の反応容器２６内に吐出する。
【００４０】
第１試薬ピペット１２は、反応ターンテーブル６と第１試薬ターンテーブル４の間に配置され、第２試薬ピペット１３は、反応ターンテーブル６と第２試薬ターンテーブル５の間に配置されている。第１試薬ピペット１２は、不図示の第１試薬ピペット駆動機構により、反応ターンテーブル６の軸方向（上下方向）と水平方向に移動及び回動可能に支持されている。そして、第１試薬ピペット１２は、第１試薬ターンテーブル４と反応ターンテーブル６の間を往復運動する。
【００４１】
第１試薬ピペット１２は、第１試薬ターンテーブル４の第１試薬容器２４内にピペットを挿入して、所定量の第１試薬を吸引する。そして、第１試薬ピペット１２は、吸引した第１試薬を反応ターンテーブル６の反応容器２６内に吐出する。
【００４２】
また、第２試薬ピペット１３は、不図示の第２試薬ピペット駆動機構により、第１試薬ピペット１２と同様に、反応ターンテーブル６の軸方向（上下方向）と水平方向に移動及び回動可能に支持されている。そして、第２試薬ピペット１３は、第２試薬ターンテーブル５と反応ターンテーブル６の間を往復運動する。
【００４３】
第２試薬ピペット１３は、第２試薬ターンテーブル５の第２試薬容器２５内にピペットを挿入して、所定量の第２試薬を吸引する。そして、第２試薬ピペット１３は、吸引した第２試薬を反応ターンテーブル６の反応容器２６内に吐出する。
【００４４】
希釈撹拌装置９及び希釈洗浄装置１１は、希釈ターンテーブル３の周囲に配置されている。希釈撹拌装置９は、不図示の撹拌子を希釈容器２３内に挿入し、検体と希釈液を撹拌する。
【００４５】
希釈洗浄装置１１は、サンプリングピペット８によって希釈検体が吸引された後の希釈容器２３を洗浄する装置である。この希釈洗浄装置１１は、複数の希釈容器洗浄ノズルを有している。複数の希釈容器洗浄ノズルは、不図示の廃液ポンプと、不図示の洗剤ポンプに接続されている。希釈洗浄装置１１は、希釈容器洗浄ノズルを希釈容器２３内に挿入し、廃液ポンプを駆動させて挿入した希釈容器洗浄ノズルによって希釈容器２３内に残留する希釈検体を吸い込む。そして、希釈洗浄装置１１は、吸い込んだ希釈検体を不図示の廃液タンクに排出する。
【００４６】
その後、希釈洗浄装置１１は、洗剤ポンプから希釈容器洗浄ノズルに洗剤を供給し、希釈容器洗浄ノズルから希釈容器２３内に洗剤を吐出する。この洗剤によって希釈容器２３内を洗浄する。その後、希釈洗浄装置１１は、洗剤を希釈容器洗浄ノズルによって吸引し、希釈容器２３内を乾燥させる。
【００４７】
第１反応撹拌装置１４、第２反応撹拌装置１５及び反応容器洗浄装置１８は、反応ターンテーブル６の周囲に配置されている。第１反応撹拌装置１４は、不図示の撹拌子を反応容器２６内に挿入し、希釈検体と第１試薬を撹拌する。これにより、希釈検体と第１試薬との反応が均一かつ迅速に行われる。なお、第１反応撹拌装置１４の構成は、希釈撹拌装置９と同一であるため、ここではその説明は省略する。
【００４８】
第２反応撹拌装置１５は、不図示の撹拌子を反応容器２６内に挿入し、希釈検体と、第１試薬と、第２試薬とを撹拌する。これにより、希釈検体と、第１試薬と、第２試薬との反応が均一かつ迅速に行われる。なお、第２反応撹拌装置１５の構成は、希釈撹拌装置９と同一であるため、ここではその説明は省略する。
【００４９】
反応容器洗浄装置１８は、検査が終了した反応容器２６内を洗浄する装置である。この反応容器洗浄装置１８は、複数の反応容器洗浄ノズルを有している。複数の反応容器洗浄ノズルは、希釈容器洗浄ノズルと同様に、不図示の廃液ポンプと、不図示の洗剤ポンプに接続されている。なお、反応容器洗浄装置１８における洗浄工程は、上述した希釈洗浄装置１１と同様であるため、その説明は省略する。
【００５０】
また、多波長光度計１６は、反応ターンテーブル６の周囲における反応ターンテーブル６の外壁と対向するように配置されている。多波長光度計１６は、反応容器２６内に注入され、第１薬液及び第２薬液と反応した希釈検体（標準検体を含む。）に対して光学的測定を行って、検体中の様々な成分の量を「吸光度」という数値データとした測定結果を出力し、希釈検体の反応状態を検出する。多波長光度計１６には、計算機３０が接続されている。
【００５１】
さらに、反応ターンテーブル６の周囲には、恒温槽１７が配置されている。この恒温槽１７は、反応ターンテーブル６に設けられた反応容器２６の温度を常時一定に保持するように構成されている。
【００５２】
［計算機の構成例］
次に、計算機３０の構成例を説明する。
図９は、計算機３０の内部構成例を示すブロック図である。
計算機３０は、不図示のバスに接続された、制御部３１と、分析部３２と、入力部３３と、表示部３４と、記憶部３５と、一時記憶部３６と、時計部３７とを備える。
【００５３】
制御部３１は、ＣＰＵ（Central Processing Unit）若しくはマイクロコンピュータ等によって構成される。制御部３１は、不図示のインターフェース部を介して生化学分析装置１（測定機構１Ａ）の各部と接続し、各部への動作タイミングの指示やデータの転送等を行って各部の動作の制御を行い、装置全体の動作を統括的に制御する。制御部３１は、記憶部３５に記憶されたプログラムを読み出して実行することにより、生化学分析装置１内の各部の動作を制御する。制御部３１は、分析部３２と接続されており、測定機構１Ａの多波長光度計１６が測定した反応容器２６の吸光度の測定結果が入力されると、測定結果を分析部３２に出力する。
【００５４】
分析部３２は、多波長光度計１６による測定結果をもとに検体の成分濃度等を分析し、分析結果を制御部３１に出力する。
【００５５】
入力部３３は、ユーザによって行われる生化学分析装置１に対する操作入力を受け付け、入力信号を制御部３１に出力する。この入力部３３には、例えば、マウス、キーボード、タッチパネル等が用いられる。ユーザは、入力部３３を操作して、測定対象の検体の種類や検体数、分析項目、分析を実行する時間帯（時刻範囲）等、分析に必要な情報を入力する。
【００５６】
表示部３４は、分析結果画面や警告画面、各種設定入力のための入力画面等を表示する。この表示部３４には、例えば、液晶ディスプレイ装置等が用いられる。
【００５７】
記憶部３５は、例えば、更新記憶可能なフラッシュメモリ等のＲＯＭによって構成されている。または、記憶部３５は、内蔵或いはデータ通信端子で接続されたＨＤＤ（Hard disk drive）等の大容量の記録装置、ＣＤ−ＲＯＭ等の情報記憶媒体及びその読取装置等によって実現されてもよい。記憶部３５は、分析結果の他、生化学分析装置１の動作に必要な各種プログラムや、これらプログラムの実行にかかるデータ等を格納する。記憶部３５には、本実施形態を実現するため、測定対象指定プログラム３５ａ、測定制御プログラム３５ｂ、測定設定テーブル３５ｃ、ターンテーブル対応関係テーブル３５ｄ、及び測定結果テーブル３５ｅが記憶されている。
【００５８】
測定対象指定プログラム３５ａは、例えばユーザが入力部３３を操作して、測定対象の検体又は項目を指定するために、制御部３１により実行されるプログラムである。制御部３１は、測定対象指定プログラム３５ａを実行することで、測定対象の検体及び項目を設定する。この測定対象指定プログラム３５ａにより、多重測定検体（検体の一例）が測定対象に指定される。ここで、ユーザが入力部３３を操作して、検体の測定が実施される時間間隔又は時刻等を指定できるようにしてもよいし、検体又は項目を指定したときに該検体又は項目に応じて予め決定された時間間隔又は時刻等が自動的に設定されるようにしてもよい。そして、制御部３１は、測定対象指定プログラム３５ａにより指定された内容を基に測定設定テーブル３５ｃを作成し、記憶部３５に記憶する。
【００５９】
測定制御プログラム３５ｂは、指定された検体又は項目の測定を行うために、制御部３１により実行されるプログラムである。制御部３１は、測定設定テーブル３５ｃに記憶された動作の内容を読み出し、該読み出した動作の内容に基づく動作（測定対象の検体又は項目の測定）を実行する。測定制御プログラム３５ｂにより、多重測定検体の測定が行われる。なお、制御部３１は、入力部３３から測定開始の指示を受信した場合には、即時に測定を開始する。
【００６０】
測定設定テーブル３５ｃは、検体の測定時に実行される動作の内容と、該動作が実行される時間間隔又は時刻（時間帯）等との対応関係を定義したテーブルである。多重測定検体を測定時の動作（測定回数）や該動作が実行される時間間隔又は時刻（時間帯）などが、測定設定テーブル３５ｃに設定される。
【００６１】
ターンテーブル対応関係テーブル３５ｄは、サンプルターンテーブル２に配置された検体容器２１の位置と複数の仮想ターンテーブル７２１（後述する図１５）との対応関係を定義したテーブルである。図１０に示すように、多重測定検体１３０は、サンプルターンテーブル２の外側の円周上に配置された検体容器２１に注入される。すなわち、サンプルターンテーブル２の外側の円周上に、多重測定検体１３０と一般検体１１０が混在する。多重測定検体１３０を保持する検体容器２１は、例えばサンプルターンテーブル２に５個配置可能であるが、個数は５個に限らない。
【００６２】
図１１は、ターンテーブル対応関係テーブル３５ｄの一例を示す。
ターンテーブル対応関係テーブル３５ｄは、“実ターンテーブルの検体ポジション（RPNo）”と、“仮想ターンテーブルの番号（VTNo）”のフィールドを有する。実ターンテーブルの検体ポジション（RPNo）は、サンプルターンテーブル２に配置された検体容器２１の位置を表す番号である。即ち、サンプルターンテーブル２に配置された検体容器２１の位置を表す番号と、仮想ターンテーブル７２１（図１５）とは、一対一に対応する。本実施形態では、サンプルターンテーブル２に配置可能な検体容器２１の個数が８４個であるから、実ターンテーブルの検体ポジションRPNo1〜RPNo84に仮想ターンテーブルVTNo1〜VTNo84が対応づけられる。
【００６３】
測定結果テーブル３５ｅは、多重測定検体１３０の測定結果を蓄積するテーブルである。図１２に、測定結果テーブル３５ｅの一例を示す。測定結果テーブル３５ｅは、“仮想ターンテーブルの番号（VTNo）”、“仮想ターンテーブルの検体ポジション（VPNo）”、“測定回数”、及び“測定結果”のフィールドを有する。仮想ターンテーブルの検体ポジション（VPNo）は、仮想ターンテーブル７２１の周方向に振られた仮想の検体容器の位置を表す番号であり、検体情報が格納される検体情報格納領域でもある。測定結果テーブル３５ｅにおける仮想ターンテーブル７２１の番号（VTNo）は、一定である。
【００６４】
制御部３１は、測定制御プログラム３５ｂを実行し、測定設定テーブル３５ｃに基づいて測定機構１Ａにより検体容器２１に注入された多重測定検体１３０の測定を規定回数行う。そして、制御部３１は、ターンテーブル対応関係テーブル３５ｄを参照し、多重測定検体１３０の測定結果を、サンプルターンテーブル２に置かれた測定中の検体容器２１の位置に対応する仮想ターンテーブル７２１上の所定の検体容器（検体情報記憶領域）に記憶する。仮想ターンテーブル７２１に表示された検体容器の位置を表す番号は、多重測定検体１３０の測定回数に相当する。
【００６５】
図９の説明に戻る。一時記憶部３６は、更新記憶可能なフラッシュメモリ等のＲＡＭによって構成されている。一時記憶部３６は、制御部３１が記憶部３５から読み出したプログラムやデータ、各種設定テーブルの一部又は全部の設定内容、測定結果等を一時的に記憶する。
【００６６】
時計部３７は時刻を計時し、制御部３１へ時刻を通知する。時計部３７は、例えば一般的なパーソナルコンピュータ等に装備されている、現在日時情報を出力するＩＣであるリアルタイムクロック（Real Time Clock：ＲＴＣ）が用いられる。
【００６７】
［多重測定検体の測定時の処理］
次に、多重測定検体１３０の測定時の処理について詳細に説明する。
多重測定検体１３０を測定する場合には、一般検体１１０に対する測定機能を流用する（キャリブレーション／コントロール検体１２０の測定処理には影響を与えない）。上述したとおり、一般検体１１０の測定においては、実際のサンプルターンテーブル(TTNo)と仮想ターンテーブル（VTNo）は一対一であり（図２）、実際のサンプルターンテーブルの検体ポジション（RPNo）と仮想ターンテーブルの検体ポジション（VPNo）も一対一の関係である（図３）。しかし、本実施形態では、サンプルターンテーブルの検体ポジション（RPNo）と仮想ターンテーブルの番号（VTNo）を一対一の関係とする。さらに、仮想ターンテーブルの番号(VTNo)は、サンプルターンテーブルの検体ポジション(RPNo)と同じ値とする。
【００６８】
サンプルターンテーブル２の検体ポジション（RPNo）と仮想ターンテーブル７２１の番号（VTNo）を一対一の関係とすることは、図３において仮想ターンテーブルの番号（VTNo1）をサンプルターンテーブルの検体ポジション（RPNo1）に、また仮想ターンテーブルの番号（VTNoN）をサンプルターンテーブルの検体ポジション（RPNoN）に割り当てることに相当する。
【００６９】
従来は、サンプルターンテーブルの検体ポジション（RPNo）が変わると、仮想ターンテーブルの検体ポジション（VPNo）も同じ値となっていた。しかし、本実施形態は、同じ仮想ターンテーブル（VTNo）内であれば、サンプルターンテーブルの検体ポジション（RPNo）を変更しない。そして、仮想ターンテーブルの検体ポジション（VPNo）のみをカウントアップすることで、サンプルターンテーブルの検体ポジション（RPNo）と仮想ターンテーブル（VTNo）を容易に一対一の関係とすることが可能である。この状態で、実際のサンプルターンテーブルの検体ポジション（RPNo）を一定にしておき仮想ターンテーブルの検体ポジション（VPNo）を増加させると、サンプルターンテーブルの検体ポジション（RPNo）で指定した多重測定検体１３０を使用して仮想ターンテーブルの検体ポジション（VPNo）で指定した回数の測定が同一条件で実施できる。そして、仮想ターンテーブルの検体ポジション（VPNo）で指定した検体情報（検体情報記憶領域）の要素に、その測定結果が格納されることになる。
【００７０】
サンプルターンテーブルの次の検体ポジションにおける多重測定検体１３０を測定する場合には、サンプルターンテーブルの検体ポジション（RPNo）は実際のサンプルターンテーブルに置かれた測定対象の多重測定検体１３０の検体ポジションに置き換わる。そして、仮想ターンテーブルの番号（VTNo）はサンプルターンテーブルの検体ポジション（RPNo）と同一の値となる。即ち、異なる多重測定検体１３０を測定するときは、異なる仮想ターンテーブルが使用されることになる。
【００７１】
このような本実施形態の有利な点として、多重測定検体１３０の測定状態の表示方法として、従来の検体の測定状態の表示方法を変更することなく使用できることが挙げられる。
【００７２】
ここで、一般検体１１０及びキャリブレーション／コントロール検体１２０の検査結果モニタの表示例を説明する。
【００７３】
［一般検体及びキャリブレーション／コントロール検体の検査結果モニタの表示例］
図１３は、一般検体の検査結果モニタの表示例を示す図である。
検査結果モニタ画面５００は、ターンテーブル選択部５１０、ターンテーブル表示部５２０、測定モード表示部５３０、測定状態説明部５４０、及び検体情報表示部５５０を有する。
【００７４】
図１３において“ＳＴＴ／ＣＴＴ”と表記されたターンテーブル選択部５１０が選択されると、ターンテーブル表示部５２０が表示される。なお、“ＲＡＣＫ”と表記されたラック選択部が選択されると、不図示の搬送ラインを表すラック表示部が表示される。一般検体１１０を測定するモードである場合には、測定モード表示部５３０に“一般検体”と表示されるとともに、ターンテーブル表示部５２０に一般検体用の仮想ターンテーブル５２１が表示される。仮想ターンテーブル５２１と実際のサンプルターンテーブル２は一対一の関係である。そのため、仮想ターンテーブル５２１には、サンプルターンテーブル２の各検体ポジションに配置されている一般検体１１０の測定状態が表示される。測定状態説明部５４０には、仮想ターンテーブル５２１における各一般検体の測定状態の表示の意味が表示される。
【００７５】
仮想ターンテーブル５２１の中央のターンテーブル番号部５２２には、サンプルターンテーブル２の番号（TTNo）が表示される。検体情報表示部５５０には、測定中の一般検体の検体情報が表示される。一般検体については、図６に示す検体情報単位で測定中の一般検体の検体情報が表示される。ここでは、図６に示す検体ＩＤ（検体識別情報）が“一般検体Ａ”である一般検体の測定結果が表示されている。即ち、一回転目のサンプルターンテーブル２（TTNo1）における２２番の位置に配置されている一般検体５２３の検体情報が表示されている。入力部３３を用いて一般検体５２３を指定（クリック等）することにより、検体情報表示部５５０に検体情報が表示される。
【００７６】
なお、ターンテーブル番号部５２２に、サンプルターンテーブルの番号“１”に代えて、仮想ターンテーブルの番号“１”を表示してもよい。図１３では、検体情報表示部５５０に“測定中”と表示されているが、項目ごとに測定が終了すると測定結果が表示される。図１４、図１５においても同様である。
【００７７】
図１４は、キャリブレーション検体（キャリブレータ２ａ）の検査結果モニタの表示例を示す図である。コントロール検体（コントローラ２ｂ）の場合も同様である。
【００７８】
検査結果モニタ画面６００において、キャリブレーション検体（キャリブレータ２ａ）を測定するモードである場合には、測定モード表示部５３０に“キャリブレーション”と表示される。また、ターンテーブル表示部５２０にキャリブレーション検体用の仮想ターンテーブル６２１が表示される。仮想ターンテーブル６２１と実際のサンプルターンテーブル２は一対一の関係である。そのため、仮想ターンテーブル６２１には、サンプルターンテーブル２の各検体ポジションに配置されているキャリブレーション検体の測定状態が表示される。
【００７９】
検体情報表示部５５０には、現在測定中のキャリブレーション検体の検体情報が表示される。図７に示すような深さ方向（５層の多層構造）の検体情報を含めて、測定中のキャリブレーション検体の検体情報が表示される。ここでは、図７に示す検体ＩＤが“キャリブレーションＡ”であるキャリブレーション検体の測定結果が表示されている。即ち、一回転目のサンプルターンテーブル２（TTNo0）における２番の位置に配置されているキャリブレーション検体６２３の検体情報が表示されている。なお、ターンテーブル番号部５２２に、サンプルターンテーブルの番号“１”又は仮想ターンテーブルの番号“１”を表示してもよい。
【００８０】
［多重測定検体の検査結果モニタの表示例］
次に、多重測定検体の検査結果モニタの表示例を説明する。
図１５は、多重測定検体の検査結果モニタの表示例を示す図である。図１６は、測定対象の多重測定検体を保持したサンプルターンテーブルの一例を示す概略図である。本実施形態では、図１６に示すように、実際のサンプルターンテーブル２の検体ポジンション“１０”に配置された多重測定検体１３０ａを多重測定する例を説明する。
【００８１】
検査結果モニタ画面７００は、ターンテーブル選択部５１０、ターンテーブル表示部５２０、測定モード表示部５３０、測定状態説明部５４０、及び検体情報表示部５５０を有する。
【００８２】
多重測定検体を測定するモードである場合には、測定モード表示部５３０に“多重測定検体”と表示されるとともに、ターンテーブル表示部５２０に多重測定検体用の仮想ターンテーブル７２１が表示される。仮想ターンテーブル７２１には、サンプルターンテーブル２の検体ポジション“１０”に置かれた多重測定検体１３０ａの測定状態が表示される。仮想ターンテーブル７２１は実際のサンプルターンテーブル２の検体ポジションと一対一の関係である。そこで、ターンテーブル番号部５２２には、実際のサンプルターンテーブル２の検体ポジンション“１０”を反映して“TTNo10”と表示される。多重測定検体用の仮想ターンテーブルの検体ポジション７２３は検体情報記憶領域に相当し、検体ポジション７２３の番号は多重測定検体１３０ａの測定回数と同じである。
【００８３】
即ち、図１５において、測定中の多重測定検体１３０ａの実際のサンプルターンテーブル２における検体ポジション“１０”が中央のターンテーブル表示部５２０に示され、測定回数及び測定状態が通常の検体ポジション７２３に示される。
【００８４】
検体情報表示部５５０には、測定中の多重測定検体１３０ａの検体情報が表示される。即ち、検体情報表示部５５０には、実際のサンプルターンテーブル２の検体ポジンション“１０”に置かれた多重測定検体１３０ａの測定回数２０回目の測定状態が表示される。本実施形態では、図１５に示すように、検体ＩＤを“多重測定 10_20”のように表示する。このように、本実施形態は、従来の検体（特に一般検体）の測定状態の表示方法を変更することなく、多重測定検体の測定状態を表示することができる。
【００８５】
図１７は、多重測定検体の測定結果の出力例を示す図である。
多重測定検体１３０ａの測定結果７５０において、検体ＩＤに、実際のサンプルターンテーブル２における多重測定検体１３０ａの検体ポジションと、多重測定検体１３０ａの測定回数の情報が付与される。図１７の測定結果７５０では、“多重測定 10_1”〜“多重測定 10_20”の検体ＩＤが表示されている。同様に、測定条件の欄には、実際のサンプルターンテーブル２における多重測定検体１３０ａの検体ポジションと、多重測定検体１３０ａの測定回数が示される。図１７の測定結果７５０では、“多重測定 10_1”〜“多重測定 10_20”の検体ＩＤに対して、（TTNo:10 Pos:1）〜（TTNo:10 Pos:20）の測定条件が表示されている。このような測定結果７５０が、検査結果モニタ７００の検体情報表示部５５０に表示される。
【００８６】
上述した本実施形態によれば、一般検体の測定データ領域（データ構造）を変更する（図５の多層構造を採用したり、深さ方向に拡張したりする）ことなく、多重測定機能を実現している。そのため、多重測定検体の測定状態の表示方法、測定結果を基に濃度換算する処理、及び測定結果を表示する処理について変更する必要がない。図１７に示すように、検体ＩＤに対し、サンプルターンテーブル２における検体ポジションと測定回数の情報を付加することにより、ユーザは検体ＩＤを見るだけで多重測定検体のサンプルターンテーブル２におけるポジションと、測定回数を容易に認識することができる。即ち、ユーザが測定結果を確認するときに、検体ＩＤから、サンプルターンテーブル２内のどの位置に置かれた検体であるかと、測定回数とを判別することが可能となる。
【００８７】
仮に、データ構造を変更する際に深さ方向に拡張するプログラムを組む場合、影響範囲が大きく、測定機構１Ａ側の修正が必要である。また、測定結果を受信する計算機３０も、測定状態の表示方法、濃度換算処理、測定結果の表示方法を修正する必要がある。しかし、本実施形態に係る構成を採用することにより、データ構造を変えなくても多重測定機能を実現できる。
【００８８】
本実施形態では、実際のサンプルターンテーブルの検体ポジションと仮想ターンテーブルを一対一に対応させることにより、データ構造を変えることなく、多重測定機能を実現できる。即ち、本実施形態によれば、多重測定機能を実現するにあたって、多重測定検体についての測定状態の表示、測定結果の演算処理、及び測定結果の表示について一般に用いられてきたソフトウェアの変更を行う必要がない。結果として、本実施形態は、生化学分析装置１のような自動分析装置のソフトウェアを大型化、複雑化することなく、多重測定検体の複数回の測定、及び測定結果の管理を行うことができる。
【００８９】
本実施形態は、自動分析装置を一から開発、製造する場合に限らず、既存の自動分析装置を改修する場合にも同様の効果がある。即ち、既存の自動分析装置を改修する場合に、既存のプログラム（データ構造）の修正を最小限に抑えられる。
【００９０】
以上、本発明は上述した各実施形態に限定されるものではなく、特許請求の範囲に記載された要旨を逸脱しない限りにおいて、その他種々の変形例、応用例を取り得ることは勿論である。
【００９１】
例えば、上述した実施形態例は本発明を分かりやすく説明するために装置及びシステムの構成を詳細且つ具体的に説明したものであり、必ずしも説明した全ての構成を備えるものに限定されるものではない。また、ある実施形態例の構成の一部を他の実施形態例の構成に置き換えることは可能である。また、ある実施形態例の構成に他の実施形態例の構成を加えることも可能である。また、各実施形態例の構成の一部について、他の構成の追加、削除、置換をすることも可能である。
【００９２】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリやハードディスク、ＳＳＤ（Solid State Drive）等の記録装置、又はＩＣカード、ＳＤカード、ＤＶＤ等の記録媒体に置くことができる。
【００９３】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００９４】
１…生化学分析装置、  １Ａ…測定機構、  ２…サンプルターンテーブル、  ３０…計算機、  ３１…制御部、  ３４…表示部、  ３５…記憶部、  ３５ｄ…ターンテーブル対応関係テーブル、  ３５ｅ…測定結果テーブル、  １１０…一般検体、  １２０…キャリブレーション／コントロール検体、  １３０，１３０ａ…多重測定検体、  ５２０…仮想ターンテーブル表示部、  ５２２…ターンテーブル番号部、  ５３０…測定モード表示部、  ５５０…検体情報表示部、  ７００…検査結果モニタ画面、  ７２１…仮想ターンテーブル、  ７２３…検体ポジション、  ７５０…測定結果
【図１】
0006419641.tif 000002
【図２】
0006419641.tif 000003
【図３】
0006419641.tif 000004
【図４】
0006419641.tif 000005
【図５】
0006419641.tif 000006
【図６】
0006419641.tif 000007
【図７】
0006419641.tif 000008
【図８】
0006419641.tif 000009
【図９】
0006419641.tif 000010
【図１０】
0006419641.tif 000011
【図１１】
0006419641.tif 000012
【図１２】
0006419641.tif 000013
【図１３】
0006419641.tif 000014
【図１４】
0006419641.tif 000015
【図１５】
0006419641.tif 000016
【図１６】
0006419641.tif 000017
【図１７】
0006419641.tif 000018